(57)【要約】      （修正有）【課題】種類の異なるドラム缶に使用しても、小さな作業力で該ドラム缶の位置調整ができるドラム缶用テコを提供する。【解決手段】アーム２の先端部に、挟持隙間Ｓを介して対向する内側支持金具４と外側支持金具６が、回転可能に軸７で支持され、内側支持金具４の内側対向面４ａがドラム缶の上縁部内側に圧接する挟持面であり、外側支持金具６の外側対向面６ａが前記ドラム缶の上縁部外側に圧接する挟持面である。内側対向面４ａ及びそれと反対側の面４ｂが、それぞれ挟持面となっており、軸７から内側対向面４ａまでの幅の大きさと、軸から内側対向面と反対側の面までの幅の大きさは、異なっている。【選択図】図１
0003156925.tif 000002
【実用新案登録請求の範囲】
【請求項１】
アームの先端部に、挟持隙間を介して対向する内側支持金具と外側支持金具が、回転可能に軸支され、前記内側支持金具の内側対向面がドラム缶の上縁部内側に圧接する挟持面であり、前記外側持金具の外側対向面が前記ドラム缶の上縁部外側に圧接する挟持面であるドラム缶用テコであって；
少なくとも、前記両支持金具の一方は、前記対向面及びそれと反対側の面が、それぞれ挟持面となっており、かつ、前記支持軸から前記両面までの幅の大きさは、それぞれ異なっていることを特徴とするドラム缶用テコ。
【請求項２】
前記内側支持金具の内側対向面及びそれと反対側の面が、それぞれ挟持面となっており、前記軸から前記内側対向面までの幅の大きさは、前記軸から前記内側対向面と反対側の面までの幅の大きさより小さいことを特徴とする請求項１記載のドラム缶用テコ。
【請求項３】
前記内側対向面及びその反対側の面は、互いに反対方向に突出する円弧状体であり、その曲率半径は、ドラム缶の上縁部のそれと合致していることを特徴とする請求項２記載のドラム缶用テコ。
【請求項４】
前記内側支持金具の内側対向面と反対側の面の角部には、干渉防止用の切り欠き部が設けられていることを特徴とする請求項２、又は、３記載のドラム缶用テコ。
【請求項５】
前記支持金具と前記アームとの間に、位置調整具が介在していることを特徴とする請求項１、２、３、又は、４記載のドラム缶用テコ。
【考案の詳細な説明】
【技術分野】
【０００１】
この考案は、ドラム缶の移動に用いられるドラム缶用テコに関するものであり、更に述べれば、ドラム缶置き場などで人力によりドラム缶をずらしながら置き位置を調整するとき等に使用されるドラム缶用テコに関するものである。
【背景技術】
【０００２】
ドラム缶の位置を調整する場合には、ドラム缶用アームが用いられている。このドラム缶用テコは、アームの先端部に内側支持金具と外側支持金具を備えており、使用時には、前記ドラム缶の上縁部の内側に前記内側支持金具を当接させ、その外側に前記外側支持金具を当接させて前記上縁部を挟持し、前記上縁部が支持点となるようにセットされる。この状態において、前記ドラム缶の外側方向に伸びたアームの後端部を自分側に引き寄せると、前記ドラム缶に力が加わって位置がずれるので、位置調整することができる。
【考案の概要】
【考案が解決しようとする課題】
【０００３】
前記ドラム缶用テコに対し、極力その加える力（作業力）を小さくすることが求められている。そこで、前記支持点からのアームの長さを大きくすれば、テコの原理により作業力は小さくできる。しかし、大きなスペースをとれないドラム缶置き場等では、その長さにも自ずから限度があり、又、工具を長くすると、重くなり、取り扱いが不便となる。即ち、ドラム缶用テコには、空間的制限と重量的な制限等が存在しているのである。
【０００４】
又、ドラム缶の上縁部形状は、オープンヘッドドラム缶、液体ドラム缶、タイトヘッドドラム缶などのドラム缶の種類により、内外間の距離（厚さ）が異なり、その寸法差が大きい。
そこで、ドラム缶用テコを全種類のドラム缶に使用できる様にするには、前記テコの内側支持金具と外側支持金具との対向間隔（空間寸法）を、最も大きなドラム缶、例えば、オープンヘッドドラム缶、に合わせて作らなければならない。
【０００５】
しかし、前記ドラム缶用テコを、一番小さい空間寸法のドラム缶、例えば、液体ドラム缶、に使用すると、アームは前記両支持金具がドラム缶の上縁部を挟み込み固定されるまで、自分側に回転するので、ドラム缶の平面中心即ち重心に近かずいてしまう。即ち、ドラム缶の重心とアームの後端部とを結ぶ直線の長さが、前記アームを回転させる前に比べ短くなる。そのため、テコの原理上のアームの長さは、実質的に短くなってしまうので、前記ドラム缶をずらすのに、大きな作業力が必要となる。このように大きな作業力を必要とするのであれば、わざわざドラム缶用テコを利用する意味は、あまり無くなってしまう。
【０００６】
この考案は、上記事情に鑑み、種類の異なるドラム缶に使用しても、小さな作業力で該ドラム缶の位置調整ができるようにすることを目的とする。
【課題を解決するための手段】
【０００７】
この考案は、アーム先端部に、挟持隙間を介して対向する内側支持金具と外側支持金具が、回転可能に軸支され、前記内側支持金具の内側対向面がドラム缶の上縁部内側に圧接する挟持面であり、前記外側支持金具の外側対向面が前記ドラム缶の上縁部外側に圧接する挟持面であるドラム缶用テコであって；少なくとも、前記両支持金具の一方は、前記対向面及びそれと反対側の面が、それぞれ挟持面となっており、かつ、前記支持軸から前記両面までの幅の大きさは、それぞれ異なっていることを特徴とする。
【０００８】
この考案の前記内側支持金具の内側対向面及びそれと反対側の面が、それぞれ挟持面となっており、前記支持軸から前記内側対向面までの幅の大きさは、前記支持軸から前記内側対向面と反対側の面までの幅の大きさより小さいことを特徴とする。この考案の前記内側対向面及びその反対側の面は、互いに反対方向に突出する円弧状体であり、その曲率半径は、ドラム缶の上縁部のそれと合致していることを特徴とする。
【０００９】
この考案の前記内側支持金具の内側対向面と反対側の面の角部には、干渉防止用の切り欠き部が設けられていることを特徴とする。この考案の前記支持金具と前記アームとの間に、位置調整具が介在していることを特徴とする。
【考案の効果】
【００１０】
この考案は、少なくとも、前記両支持金具の一方は、前記対向面及びそれと反対側の面が、それぞれ挟持面となっており、かつ、前記支持軸から前記両面までの幅の大きさは、それぞれ異なっているので、該支持金具を回転させると、挟持隙間の大きさが変化する。そのため、従来例と異なり、ドラム缶の種類により、ドラム缶の重心とアームの後端部とを結ぶ直線の長さが、大きく変化することがないので、テコの原理上のアームの長さは、充分に確保できる。そのため、小さな作業力で前記ドラム缶をずらすことができるので、作業が容易となる。
【図面の簡単な説明】
【００１１】
【図１】本考案の第１実施形態の要部を示す拡大平面図である。
【図２】正面図である。
【図３】内側支持金具の拡大平面図である。
【図４】使用状態を示す平面図である。
【図５】ドラム缶の上縁部にドラム缶用テコを装着した状態を示す拡大平面図である。
【図６】前記テコに力を加えた状態を示す拡大平面図である。
【図７】使用状態を示す正面図である。
【図８】本考案の第２実施形態の要部を示す拡大平面図である。
【図９】正面図である。
【図１０】使用状態を示す平面図である。
【図１１】ドラム缶の上縁部にドラム缶用テコを装着した状態を示す拡大平面図である。
【図１２】前記テコに力を加えた状態を示す拡大平面図である。
【図１３】使用状態を示す正面図である。
【図１４】本考案の第３実施形態の使用状態を示す正面図である。
【考案を実施するための形態】
【００１２】
この考案の第１実施形態を図１〜図７により説明する。
ドラム缶用テコ１は、アーム２と、該アーム２に設けられた内側支持金具４と外側支持金具６と、を備えている。前記アーム２の後端部には、把持部２ａが設けられ、その先端部には、前記内側支持金具４と外側支持金具６とが挟持隙間Ｓをおいて、回転可能に軸支７、１０されている。
【００１３】
前記内側支持金具４は、ほぼ長方形状に形成され、その中心軸線４ｃ上には、軸７が挿入される軸穴１１が設けられ、該軸穴１１の両側には、重量軽減穴１３が設けられている。又、前記面７ｂの一端部には、切り欠き部１４が設けられているが、この切り欠き部１４は、内側支持金具４を回転させる時に、前記外側支持金具６と干渉しない様にするものであり、Ｒ面となっている。
【００１４】
前記内側支持金具４の内側対向面４ａ、即ち、外側支持金具６側の面と、該内側対向面４ａと反対側の面４ｂは、円弧状に形成されている。この両面４ａ、４ｂは、互いに反対方向に突出する円弧状面であり、その７ａ曲率半径ｒは、ドラム缶８の上縁部９の内径ｒとほぼ同一に形成されている。
前記面４ａ、４ｂは、ドラム缶８の上縁部８の内側を圧接する内側挟持面をなす。
【００１５】
前記軸穴１１の中心を通る前記内側支持金具４の中心軸線４ｃ上において、前記軸穴１１から前記内側対向面（挟持面）４ａ迄の長さ（幅）Ｌ１は、前記軸穴１１から前記内側対向面（挟持面）４ａと反対側の面４ｂ迄の長さ（幅）Ｌ２より、小さく形成されており、例えば、幅Ｌ２は、前記幅Ｌ１の約２倍の大きさに形成されている。この幅Ｌ１、Ｌ２の大きさは、必要に応じて適宜選択されるが、両者Ｌ１、Ｌ２の差が大きいほど、外側支持金具６との間隔、即ち、挟持間隙Ｓを大きく変化させることができる。
【００１６】
前記外側支持金具６は、ほぼ台形状に形成され、その頭部側の中心軸線上には、軸１０が挿入される軸穴が設けられ、その底部側、即ち、内側支持金具４側の外側対向面６ａは、円弧状に形成されているが、その曲率半径は、ドラム缶８の上縁部９の外径とほぼ同一に形成されている。この外側対向面６ａは、ドラム缶８の上縁部８の外側を圧接する外側挟持面をなす。
【００１７】
次に、本実施形態の作動について説明する。
図１、図５に示す様に、アーム２の中心線２ａ上に内側及び外側支持金具４，６の中心軸線４ｃ位置するようにして、ドラム缶用テコ１の挟持隙間Ｓを最大にする。
前記ドラム缶用テコ１をオープンヘッドドラム缶８の上縁部９に近接させ、前記挟持隙間Ｓに前記上縁部９を挿入する。
【００１８】
この時におけるドラム缶８の重心（中心）Ｐからアーム２の後端部２ａまでの長さは、Ｔとなる。又、前記上縁部９の幅は、前記挟持隙間Ｓより小さいので、前記外側支持金６の挟持面６ａ及び位置調整具１８は前記上縁部９に当接するが、前記内側支持金具４は、内側対向面４ａに当接することができない。
【００１９】
前記アーム２の把持部２ａを矢印Ａ２方向（自分側）に引くと、アーム２の先端部が外側支持金具６の軸を中心にして前記矢印Ａ２と反対方向に移動し、内側支持金具４が上方側にずれるので、図６、図７に示すように、内側対向面４ａ及び位置調整具１６が前記上縁部９の内側に圧接される。この時、アーム２は角度θ回転するので、ドラム缶８の重心Ｐからアーム２の後端部２ａまでの長さは、Ｔ１となり、前記長さＴより短くなる。しかし、短くなった分（Ｔ―Ｔ１）は、僅かなので、該テコ１に大きな作業力を加えなくても、簡単にドラム缶８をずらすことができる。
【００２０】
次に、本考案の第２実施形態を図８〜図１２により説明するが、図１〜図７と同一図面符号は、その名称も機能も同一である。
この実施形態と前記第１実施形態との相違点は、ドラム缶用テコ１をオープンヘッドドラム缶より上縁部の幅が狭い、液体ドラム缶に使用することである。
【００２１】
この場合には、図８、図１１に示すように、内側支持金具４を切り欠き部１４側に回転させ、外側支持金具６と対向する面を４ｂにする。この面４ｂと支軸７間の幅Ｌ２は、前記内側対向面４ａと支軸７間の幅Ｌ１より大きいので、挟持隙間Ｓ１は、前記挟隙間Ｓより小さくなる。
【００２２】
この時におけるドラム缶８の重心（中心）Ｐからアーム２の後端部２ａまでの長さは、Ｔ２となる。又、前記上縁部９の幅は、前記挟持隙間Ｓ１より小さいので、前記外側支持金６の挟持面６ａ及び位置調整具１８は前記上縁部９に当接するが、前記内側支持金具４は、内側対向面４ａに当接することができない。
【００２３】
前記アーム２の把持部２ａを矢印Ａ２方向（自分側）に引くと、アーム２の先端部が外側支持金具６の軸を中心にして前記矢印Ａ２と反対方向に移動し、内側支持金具４が上方側にずれるので、図１２，１３に示すように、内側対向面４ａ及び位置調整具１６が前記上縁部９の内側に圧接される。    
【００２４】
この時、アーム２は角度θ１回転するので、ドラム缶８の重心Ｐからアーム２の後端部２ａまでの長さは、Ｔ３となり、前記長さＴ２より短くなる。しかし、短くなった分（Ｔ２―Ｔ３）は、前記実施形態の場合（Ｔ―Ｔ１）よりも更に小さいので、該テコ１に大きな作業力を加えなくても、簡単にドラム缶８をずらすことができる。
【００２５】
この考案の第３実施形態を図１４により説明するが、図１〜図１３と同一図面符号は、その名称も機能も同一である。
この実施形態と第２実施形態との相違点は、ドラム缶用テコ１を液体ドラム缶の代わりに、使用することであるが、この場合の作動当は、前記第２実施形態と同様なので、ここでは、その説明を省略する。
【００２６】
この考案の実施形態は、上記に限定されるものではなく、例えば、内側支持金具４の内側対向面とその反対側の面をそれぞれ挟持面にする代わりに、外側支持金具の外側対向面とその反対側の面をそれぞれ挟持面にしても良い。この場合には、前記両挟持面は、前記内側支持金具の場合と同様な要領で形成されるが、互いに内側に突出する円弧状面となる。
又、前記内側支持金具４の内側対向面とその反対側の面をそれぞれ挟持面にするとともに、前記外側支持金具の外側対向面とその反対側の面もそれぞれ挟持面にしても良い。
【符号の説明】
【００２７】
１        ドラム缶用テコ
２        アーム
４        内側支持金具
６        外側支持金具
７        軸
８        ドラム缶
９        上縁部
１１        軸穴
Ｓ        挟持隙間
Ｌ１        幅
Ｌ２        幅
Ｔ        アームの長さ
Ｔ１        アームの長さ
【図１】
0003156925.tif 000003
【図２】
0003156925.tif 000004
【図３】
0003156925.tif 000005
【図４】
0003156925.tif 000006
【図５】
0003156925.tif 000007
【図６】
0003156925.tif 000008
【図７】
0003156925.tif 000009
【図８】
0003156925.tif 000010
【図９】
0003156925.tif 000011
【図１０】
0003156925.tif 000012
【図１１】
0003156925.tif 000013
【図１２】
0003156925.tif 000014
【図１３】
0003156925.tif 000015
【図１４】
0003156925.tif 000016
【手続補正書】
【提出日】平成21年11月12日(2009.11.12)
【手続補正１】
【補正対象書類名】実用新案登録請求の範囲
【補正対象項目名】全文
【補正方法】変更
【補正の内容】
【実用新案登録請求の範囲】
【請求項１】
アームの先端部に、挟持隙間を介して対向する内側支持金具と外側支持金具が、回転可能に軸で支持され、前記内側支持金具の内側対向面がドラム缶の上縁部内側に圧接する挟持面であり、前記外側支持金具の外側対向面が前記ドラム缶の上縁部外側に圧接する挟持面であるドラム缶用テコであって；
少なくとも、前記内側支持金具の内側対向面及びそれと反対側の面が、それぞれ挟持面となっており、
前記軸から前記内側対向面までの幅の大きさと、前記軸から前記内側対向面と反対側の面までの幅の大きさは、異なっていることを特徴とするドラム缶用テコ。
【請求項２】
前記軸から前記内側対向面までの幅の大きさは、前記軸から前記内側対向面と反対側の面までの幅の大きさより小さいことを特徴とする請求項１記載のドラム缶用テコ。
【請求項３】
前記内側対向面及びその反対側の面は、互いに反対方向に突出する円弧状体であり、その曲率半径は、ドラム缶の上縁部のそれと合致していることを特徴とする請求項２記載のドラム缶用テコ。
【請求項４】
前記内側支持金具の内側対向面と反対側の面の角部には、干渉防止用の切り欠き部が設けられていることを特徴とする請求項２、又は、３記載のドラム缶用テコ。
【請求項５】
前記両支持金具と前記アームとの間に、位置調整具が介在していることを特徴とする請求項１、２、３、又は、４記載のドラム缶用テコ。
【手続補正２】
【補正対象書類名】明細書
【補正対象項目名】０００７
【補正方法】変更
【補正の内容】
【０００７】
この考案は、アームの先端部に、挟持隙間を介して対向する内側支持金具と外側支持金具が、回転可能に軸で支持され、前記内側支持金具の内側対向面がドラム缶の上縁部内側に圧接する挟持面であり、前記外側支持金具の外側対向面が前記ドラム缶の上縁部外側に圧接する挟持面であるドラム缶用テコであって；少なくとも、前記内側支持金具の内側対向面及びそれと反対側の面が、それぞれ挟持面となっており、前記軸から前記内側対向面までの幅の大きさと、前記軸から前記内側対向面と反対側の面までの幅の大きさは、異なっていることを特徴とする。
【手続補正３】
【補正対象書類名】明細書
【補正対象項目名】０００８
【補正方法】変更
【補正の内容】
【０００８】
この考案の前記軸から前記内側対向面までの幅の大きさは、前記軸から前記内側対向面と反対側の面までの幅の大きさより小さいことを特徴とする。この考案の前記内側対向面及びその反対側の面は、互いに反対方向に突出する円弧状体であり、その曲率半径は、ドラム缶の上縁部のそれと合致していることを特徴とする。
【手続補正４】
【補正対象書類名】明細書
【補正対象項目名】０００９
【補正方法】変更
【補正の内容】
【０００９】
この考案の前記内側支持金具の内側対向面と反対側の面の角部には、干渉防止用の切り欠き部が設けられていることを特徴とする。この考案の前記両支持金具と前記アームとの間に、位置調整具が介在していることを特徴とする